(57)【要約】  ゴーグル組立体、それも、フレーム５と、弛緩した第１形状と予張力が付与される第２形状とを有する外側レンズ３と、外側レンズを第２形状で内側レンズ前面から間隔をおいて取外し可能に保持する取付け部材７とを含むゴーグル組立体を提供する。
2012527274.tif 000002
【特許請求の範囲】
【請求項１】
ゴーグル組立体において、該ゴーグル組立体が、
フレームと、
フレームにより保持された内側レンズと、
弛緩した第１形状と予張力が付与される第２形状とを有する外側レンズと、
外側レンズを前記第２形状で内側レンズの前面に対し間隔をおいて取外し可能に保持する取付け部材とを含む、ゴーグル組立体。
【請求項２】
前記取付け部材が内側レンズに配置される、請求項１記載の組立体。
【請求項３】
前記取付け部材が、好ましくは張力が加わる状態に置かれるように構成された内側レンズに形成された貫通穴から突出するインサートを含む、請求項２記載の組立体。
【請求項４】
前記取付け部材が、フレームに係止されるか、または着用者の頭部またはヘルメットを囲んでゴーグルを保持するストラップに係止される、請求項１記載の組立体。
【請求項５】
前記取付け部材が、外側レンズと一体成形された縁部と、フレームに形成された対応縁部とを含み、両縁部が互いに係止される、請求項１記載の組立体。
【請求項６】
更に、外側レンズと内側レンズとの間に設けられたシール部材を含み、かつ両レンズ間に事実上密封された空間が形成される、請求項１から請求項５までのいずれか１項記載の組立体。
【請求項７】
前記シール部材が、外側レンズの内表面に取付けられたシリコーン製ビードを含む、請求項６記載の組立体。
【請求項８】
前記シール部材が、外側レンズに一体成形されたエラストマー製縁部を含む、請求項６記載の組立体。
【請求項９】
前記内側レンズの厚さが、０．６ｍｍ−１．５ｍｍ、好ましくは０．８ｍｍ−１．２ｍｍ、最も好ましくは約１．０ｍｍである、請求項１から請求項８までのいずれか１項記載の組立体。
【請求項１０】
前記内側レンズは、少なくともその内表面が、親水性である、請求項１から請求項９までのいずれか１項記載の組立体。
【請求項１１】
前記外側レンズの厚さが、０．６ｍｍ−１．５ｍｍ、好ましくは０．８ｍｍ−１．２ｍｍ、最も好ましくは約１．０ｍｍである、請求項１から請求項１０までのいずれか１項記載の組立体。
【請求項１２】
前記外側レンズが、その第１形状では事実上平らか、または凹状であり、第２形状では凸状である、請求項１から請求項１１までのいずれか１項記載の組立体。
【請求項１３】
前記外側レンズが、引掻き強度、防曇、防眩、着色、マジックミラー、偏光、調光（ｐｈｏｔｏｃｈｒｏｍａｔｉｃ）、通電変色（ｅｌｅｃｔｒｏｃｈｒｏｍａｔｉｃ）を含む群から選択された機能特性を備えている、請求項１から請求項１２までのいずれか１項記載の組立体。
【請求項１４】
ゴーグル組立体において、
フレームと、
フレームにより保持された内側レンズと、
一体成形されたスペーサ部材を含む外側レンズと、
内側レンズに対して事実上シールされる外側レンズを取外し可能に固定する取付け部材とを含む、ゴーグル組立体。
【請求項１５】
ゴーグル組立体において、
フレームと、
フレームにより保持された内側レンズと、
内側レンズにより担持された取付け部材と、
取付け部材により内側レンズに対し取外し可能に固定された外側レンズと、
内側と外側のレンズ間に配置されたスペーサとを含む、ゴーグル組立体。
【請求項１６】
１対のゴーグルに外側レンズを取付ける方法において、
内側レンズを内側レンズ縁部区域のところで保持するフレームを得る作業と、
前記縁部区域に複数の貫通穴を設ける作業と、
取付け部材を内側レンズから外方へ突出するように穴内に挿入する作業と、
外側レンズをたわませて取付け部材に係止させ、それにより外側レンズが、予張力を付与された状態で、内側レンズに対し間隔をおいて保持されるようにする作業とを含む、１対のゴーグルに外側レンズを取付ける方法。
【請求項１７】
１対のゴーグルの前側に取付けるための外側レンズ構成体において、該構成体が、
外表面と、内表面と、着用者の鼻に対応するカットアウト部とを有するゴーグル形状の外側レンズを含み、該外側レンズが、応力の加わらない状態では、内表面が凸状になる第１方向に湾曲しており、前記構成体が、また
少なくとも部分的に内表面に配置された周部シールを含み、外側レンズをたわませて第１方向とは逆方向に湾曲させ内表面が凹状にされた場合、該周部シールがゴーグル前側と係合する、１対のゴーグルの前側に取付けるための外側レンズ構成体。
【請求項１８】
更に、ゴーグルの前側に係止され、かつ外側レンズを取外し可能に係止するための取付け部材を含む、請求項１７記載の構成体。
【請求項１９】
前記シールが、エラストマー製であり、２重射出成形法または重ね成形法により外側レンズと一体成形される、請求項１７または請求項１８記載の構成体。
【請求項２０】
前記外側レンズが、引掻き強度、防曇、防眩、着色、マジックミラー、偏光、調光、通電変色の群から選択される機能特性を備えている、請求項１７から請求項１９までのいずれか１項記載の構成体。
【請求項２１】
更に、ゴーグルから外側レンズを容易に取外すためのリップを含んでいる、請求項１７から請求項２０までのいずれか１項記載の構成体。
【請求項２２】
ゴーグル組立体を構成する部品キットにおいて、
ゴーグル・フレームと、
ゴーグル・フレームにより保持されるようにされた内側レンズと、
弛緩した第１形状と予張力が付与される第２形状とを有する外側レンズと、
第２形状で外側レンズを内側レンズ前面から間隔をおいて取外し可能に保持するようにされた取付け部材とを含む、ゴーグル組立体を構成する部品キット。
【発明の詳細な説明】
【技術分野】
【０００１】
本発明は、広くはアイウエアに関わり、より具体的にはゴーグル、特にスキーその他のスポーツ用のゴーグルに関するものである。本発明は、更にその種のアイウエアの外側に取外し可能に取付け可能なレンズ部材に関するものである。
【背景技術】
【０００２】
この技術分野では多くの形態のめがねやゴーグルが周知である。一般に、この種の品目は、異物や放射線から目を護るために、および／または視力の矯正または改善のために使用される。それらの品目は、付加的にファッション目的の度合いが次第に大きくなり、使用者のスタイルやイメージを高めるために使用されるようになっている。アイウエアという用語は、近時、あらゆる種類のめがね（眼鏡ともいう）、遮光めがね、ゴーグルを含む総称として用いられるようになった。
【０００３】
ゴーグルとは、通常、伸縮性のあるストラップを後頭部にめぐらして着用するアイウエアの一形式と理解される。眼の前方の単数または複数のレンズは、フレームによって顔面から隔てられる。フレーム（時にはマスクとも呼ばれる）は、鼻を覆うこともできるが、より一般的には鼻の上にかけられる。フレームは、通常、使用者の顔面によりよく順応するように、フレキシブルな縁部を有している。ゴーグルのなかには、ヘルメット、例えばスキーまたはモトクロスのヘルメットの上から着用するものもあるが、その場合には、ストラップは、ヘルメットの後部にめぐらされる。
【０００４】
ゴーグルが広く用いられる一大分野は、ウィンタースポーツの分野である。スキー・ゴーグルは太陽の眩光から眼を保護し、紫外線の害を低減し、寒気や降雪から眼を保護する。天候が変わりやすい状態で安全かつ快適にウィンタースポーツを行うには、好適なゴーグル対が不可欠と考えられる。その種のゴーグルは、快適かつ容易に使用でき、落下、衝撃、引掻きで破損しないよう弾性的でなければならない。特に重要で、極めて望ましい点は、使用時に曇りやかすみが生じないことである。曇りの発生は、着用者が運動して汗をかく結果、顔面に近いゴーグル内の空気湿度が上昇するためである。極寒条件下では、より低温のレンズの内表面に生じる凝縮で曇りが生じる。ゴーグルの中には、この問題の解決のために、防曇コーティングを施したものもある。しかし、コーティングは、それだけでは一般に適切とは言えず、また損傷しやすいため（特にレンズのクリーニングで）、レンズを通して見た視界が妨げられ、ゴーグルは廃棄せねばならなくなる。特に、使用者がゴーグル内側の凝縮物を拭うのは普通のことだから、結果として、しばしば薄い防曇コーティングに掻き傷や剥離が生じる。そうなれば、ゴーグルは一層曇りやすくなる。
【０００５】
２重レンズ組立体を使用して防曇性を改善した多くの製品が入手可能である。その種の一構成が特許文献１に示されている。この構成の場合、内側レンズは、外側レンズのフランジ部分に形成された溝内に保持される。内側レンズは、所望とあれば省いてもよい。特許文献２には、別の組立体が示されている。それによると、内側と外側のレンズが、ゴム・シールを介して永久接着されている。このシールされたユニットは、フレーム周囲の溝内に外側レンズの縁部が係止されることでゴーグル・フレーム内に保持される。
【０００６】
或る状況下では、レンズを取外して別のレンズに取換えるのが望ましいことがある。例えば、壊れた場合や、別の機能やスタイルを望む場合である。特に、レンズは、耐光性の高いレンズ、または例えば種々の光条件下で必要になる別の視効果を有する異なる色のレンズ、または衣服のスタイルやムードに合うレンズと取換えられることがある。特許文献３には、レンズ組立体を取換え可能な一システムが開示されている。このシステムは、比較的複雑で、現行の設計のゴーグルには取付けにくい。このため、レンズ組立体全部を交換することが必要になる。特許文献４に開示された別のシステムの場合、外側レンズ構造物が、現行のゴーグル・レンズの外表面に取付けられる。外側レンズ構造物は、エラストマー製ガスケット形式のシール縁部を含み、ストラップによって内側レンズに対し保持される。この構成は比較的簡単だが、シールは、ストラップの張力に依存し、外側レンズを取外すには、ストラップから分離する必要があり、またシール縁部が着用者の視野に入る。２個のレンズは、またレンズ間に気密チャンバが生じるようにシールされる。
【０００７】
特許文献５により、防弾用および放射線保護用の１対の保護遮蔽体を有する保護ゴーグル構成が公知である。外側の放射線遮蔽体は、端部の延長部を介してゴーグル・フレームに取外し可能に結合される。この外側遮蔽体は、フレームに対してシールを形成している。この設計は、外側レンズの容易な交換という要求を満たしているとは思われるが、専用のフレームを必要とし、かつ現行の設計にレトロフィットできない。この設計は、またシールをフレームの外表面に依存しているが、フレームは必ずしもシール目的に適していない。使用時、フレームが曲れば、シール部分に口が開くことがある。
【先行技術文献】
【特許文献】
【０００８】
【特許文献１】米国特許第３，７１８，９３７号明細書
【特許文献２】米国特許第７，４０４，２１７号明細書
【特許文献３】米国特許第２００７／０１５３２３０号明細書
【特許文献４】米国特許第３，０１２，２４８号明細書
【特許文献５】米国特許第５，８０２，６２２号明細書
【発明の概要】
【発明が解決しようとする課題】
【０００９】
したがって、外側レンズを簡単かつ扱いやすく着脱できるゴーグル組立体が特に必要である。
【課題を解決するための手段】
【００１０】
本発明の一形式では、この問題が、フレームと、フレームにより保持された内側レンズと、弛緩した第１形状と予張力を付与される第２形状とを有する外側レンズと、外側レンズを第２形状で内側レンズ前面から間隔をおいて取外し可能に保持する取付け部材とを含むゴーグル組立体により解決された。外側レンズに初期予張力を与えることで、外側レンズがフレームまたは内側レンズ前面に一定復元力を及ぼすため、不動の取付けが可能になる。ここでは、「ゴーグル」の用語に、好ましくは、特許請求の範囲に定義された特徴を有するどのアイウエアをも含める意図があり、弾性ストラップを介して顔面に保持される器具に限定する意図はない。本発明の好適な一用途では「ゴーグル」の用語は、単数または複数のレンズがフレームにより顔面から間隔をおいて眼の前方に配置される種類のアイウエアを言い、該フレームは、少なくとも部分的に眼の周囲に、場合により顔面の一部以上の部分に閉じられた空間を形成する。フレームは鼻を覆うが（時にマスクと呼ばれる）、概して鼻の上方に配置される。フレームは、通常、使用者の顔面に順応し易いように、フレキシブルな縁部を有している。
【００１１】
一実施例によれば、組立体は、外側レンズと内側レンズとの間に設けられたシール部材を含み、レンズ間には事実上密封の空間が形成されることで、内側と外側のレンズ間には断熱バリヤが形成される。シールは、好ましくは十分な気密シールを形成すれば足りる。外側レンズの予張力はシール部材を押圧して、内側レンズまたはそのフレームに対しその長さの大部分にわたって密封状態を生じさせるのに役立つ。予張力が加わらない場合には、密封効果は不一様となり、その結果、シールの周囲に空気漏れが生じるおそれがある。好ましくは、シールは、外側レンズの外周縁に配置される。そうすることで、邪魔されない視野が最大化される。しかし、またシールは周縁から内方へ設けることも考えられる。その場合、シールの外側の縁部区域は、取付け目的に使用されるか、またはゴーグル・フレームの前方に延び、該フレームをカバーできる。
【００１２】
一実施例によればシール部材は、外側レンズの内面に取付けられたシリコーン製ビードを含んでいる。この乾燥硬化されたシリコーン材料は、双方のレンズの間を解離可能に封止するのに好都合であることが判明した。シリコーン材料は、コンピュータによる数字制御（ＣＮＣ）装置により精密かつ効率的に付着させた後、乾燥硬化させた。他の適用方法も考えられる。
あるいはまた、シール部材は、外側レンズと一体成形できるエラストマー製縁部を含んでいる。この場合、一体成形には、重ね成形（ｏｖｅｒ−ｍｏｌｄｉｎｇ）、２重射出成形、その他を含むどのような形式の成形法をも含むものとする。当業者には、それらの成形法によって達せられる別の有利なシール形状や、正確な所要特性に応じて使用できる種々の材料が、十分に明らかになろう。
【００１３】
本発明の別の一態様によれば、取付け部材は内側レンズに配置することができる。この構成は、現行モデルのゴーグルに本発明のレンズ組立体をレトロフィット可能にする場合、特に重要である。取付けは、内側と外側のレンズ間で行われるので、フレーム設計を変更する必要はない。この特定の特徴は、２重レンズ・ゴーグルの場合には、それ自体新規性および発明性があると思われる。
【００１４】
このように使用できる取付け部材の特定の一形式は、インサート・ピンまたはインサート・プラグである。このピンまたはプラグは、内側レンズに設けられた穴に内側から外方へ貫通挿入できる。ピンまたはプラグは、また湿気の浸入に抗して穴をシールするように、弾性的にすることができる。更に、好ましくは力が加わる状態（すなわちプリストレス（予張力）によりピンが引張られる）で外側レンズを保持するための係止面を備えることができる。これらの係止面は、拡大されたヘッド、隆起部、溝、その他を含み、それらが適当な形式で、例えば予張力を付与された外側レンズに係止される。外側レンズを保持するために、２個のピンが、視野区域の左右の側に設けられる。あるいはまた、４個のピンをレンズのコーナーに配置するか、または複数ピンを周部に分配できる。
【００１５】
別の実施例では、取付け部材が、フレームに係止されるか、またはフレームに設けられる。これらの取付け部材は、柱状部材またはピンを含むことができ、該柱状部材またはピンは、フレームに取付けられるか、フレームと一体成形される。これらのピンまたは柱状部材は既述のように、外側レンズに係止される。あるいはまた、これらの取付け部材は、フレームと外側レンズとにそれぞれ形成された相互ロック周縁部を含むことができる。この構成は、一体成形縁部が外側レンズに設けられることで達せられる。
【００１６】
更に別の実施例では、使用者の頭部またはヘルメットの周囲でゴーグルを保持するストラップが、外側レンズに係止されることで、外側レンズは、予張力を付与された状態でフレームまたは内側レンズに対し保持される。
【００１７】
本発明の一態様によれば、内側レンズは０．６ｍｍ−１．５ｍｍ、好ましくは０．８ｍｍ−１．２ｍｍ、最も好ましくは約１．０ｍｍの厚さを有している。ゴーグル用の従来のレンズ材料は、約０．６ｍｍ以下である。この材料は比較的薄手なので、取付け部材のための固定箇所、または予張力を付与された外側レンズから受ける力に抵抗するための固定箇所としては、直接には不適である。ここで請求される種類の構成に要求される高い剛性および弾力性は、かなり高いゲージの内側レンズを選択することにより得ることができる。
【００１８】
更に、内側レンズは、少なくとも内表面が親水性であるのが好ましい。曇りを低減する適当な候補材料としては、種々の材料が知られている。特に酢酸セルロースおよびプロピオン酸セルロースが、防曇材料として勧められる。あるいはまた、比較的低親水性の材料を、内表面の親水性コーティングと組み合わせて使用することもできる。当業者には、浸漬コーティング等により被着されるシリコーン基剤材料を含む種々の別の材料が防曇目的に使用可能なことは、十分承知していよう。
【００１９】
各レンズは、少なくとも０．６ｍｍの厚さを有するのが好ましい。より好ましくはレンジの少なくとも一方の厚さが、少なくとも０．８ｍｍ、より好ましくは少なくとも１．０ｍｍの場合である。レンズの厚さは、好ましくは最大６ｍｍ、より好ましくは最大４ｍｍ、更に好ましくは最大３ｍｍ、最も好ましくは最大１．５ｍｍである。レンズの厚さは、ゴーグルの所期目的に少なくとも部分的に依存する。ゴーグルの中には防弾ゴーグルとして使用されるものがあり、その場合には、より厚いレンズにより衝撃に対する保護が必要とされる。ウィンタースポーツ用のゴーグルには、通常、より薄手のレンズが求められる。
【００２０】
外側レンズの厚さは、０．６ｍｍ−１．５ｍｍ、好ましくは０．８ｍｍ−１．２ｍｍ、最も好ましくは約１．０ｍｍであるのが好ましい。内側レンズの厚さは、０．８ｍｍ−２．０ｍｍ、好ましくは１．０ｍｍ−１．８ｍｍ、最も好ましくは約１．２ｍｍであるのが好ましい。安定的な構造を形成するためには、外側レンズと内側レンズ／フレーム結合体との間に適切な力のバランスが保たれるのが望ましい。この適切なバランスは、良好な密封性の維持に外側レンズの予張力が必要な場合、特に重要である。或る場合には、シールまたは取付け部材は、外側レンズと一体成形され、外側レンズ構成体を形成することができる。その場合、外側レンズ構成体の組合わせ強度が、ゴーグルの残りの部分との密封関係を決定する上で重要なことが理解できよう。
【００２１】
取付け部材が内側レンズに配置される実施例では、内側レンズの厚さは、好ましくは少なくとも１．０ｍｍ、より好ましくは少なくとも１．１５ｍｍ、更に好ましくは少なくとも１．５ｍｍ、最も好ましくは少なくとも１．８ｍｍである。
【００２２】
本発明の重要な一態様によれば、外側レンズが、第１形状では事実上平らまたは凹状であり、第２形状では凸状である。この場合、凹・凸の用語は、ゴーグルの前方外側から見たものと理解されたい。凸状の第２形状では、外側レンズは、着用者の顔面を取囲む形状となる。レンズは両方とも、２次元（２Ｄ）か３次元（３Ｄ）にすることができる。当業者には、２Ｄ形状を有する外側レンズは、第１と第２の形状間で容易に曲げられることが理解されよう。だが、フレキシブルな３Ｄ外側レンズも２つの形状を有し、２つの形状間で迅速に変換できる。
【００２３】
本発明の重要な一態様によれば、外側レンズは機能特性を備えることができる。ここで言う機能的特性とは、透明ガラスまたはポリカーボネートにより得られる機能（衝撃および周囲状況に対する保護機能）とは別の機能を意味する。機能特性は、引掻き強度、防曇、防眩、着色、ミラーガラス、偏光、フォトクロマチック（ｐｈｏｔｏｃｈｒｏｍａｔｉｃ）、通電変色（ｅｌｅｃｔｒｏｃｈｒｏｍａｔｉｃ）を含む群から選択できる。特に、外側レンズは複数の異なる着色、つまりカラーを有することができる。外側レンズの着色、マジックミラー、偏光、調光、通電変色の各型の場合の暗色度／色度は、外側レンズ表面の端から端まで均一にするか、または変化させることができる。例えば、ゴーグルの上下区域の一方または両方が、水平の中央部より高い暗色度／色度を有するようにして、太陽（上方）の眩しさや雪または水（下方）からの反射を低減できる一方、中央部は、よく見えるように暗色度を減じておく。
【００２４】
本発明は、１対のゴーグルの前側に取付ける外側レンズ構成体に関わり、該構成体は、ゴーグル形状の外側レンズと、周部シールとを含み、外側レンズは、外表面および内表面と着用者の鼻に対応するカットアウト部とを有し、応力が加わらない状態での外側レンズは、第１方向、つまり内表面が凸状になる方向に湾曲しており、周部シールは、少なくとも部分的に前記内表面に配置され、外側レンズをたわませて内表面を第１方向とは逆方向、つまり凹状になる方向に湾曲させることで、ゴーグルの前側に係合する。
【００２５】
本発明の外側レンズ構成体の別の明らかな特徴によれば、ゴーグルから外側レンズを容易に取外せるように、リップを備えることができる。このリップは、外側レンズの延長部、または外側レンズに重ね成形または一体成形された部材、または外側レンズに固定されるか接着されるかした付加引張りリングかタブのいずれかでよい。
【００２６】
本発明は、更に外側レンズを、内側レンズを有するフレームを備えたゴーグル組立体に取付ける方法に関するものである。内側レンズは、縁部区域をフレームによって保持される。この方法には、内側レンズ縁部区域を貫通する複数開口を形成する作業と、取付け部材を内側レンズから外方へ突出するように開口に挿入する作業と、外側レンズをたわませて取付け部材に係止することにより、外側レンズが、予張力を付与された状態で内側レンズに対して間隔をおいて保持されるようにする作業とが含まれる。このようにして、交換可能な外側レンズは、ゴーグルのフレームを改変する必要なしに、現行設計に効率的にレトロフィットさせることができる。
【００２７】
本発明の更に別の一実施例では、２重レンズ式ゴーグル装置が、外側レンズと、ゴーグル・フレームと、ゴーグル・フレームにより担持された内側レンズとを含み、ゴーグルの外側レンズは、着用者の頭部またはヘルメットにめぐらしてゴーグルを保持するためのストラップ（好ましくは弾性ストラップ）により、ゴーグル・フレームおよび内側レンズに対し取外し可能に取付けられる。この実施例では、外側レンズが、両側に、ストラップを取付けるための結合部を備えている。これらの結合部は、ストラップを通すための穴、スナップまたはホック、留め具、柱状部、リップ、その他の適当な機械式結合部の形式でよい。これらの結合部は、外側レンズ自体に設けた穴、または外側レンズの、着用者の顔面に最も近い側に設けられた結合部が好ましい。これにより、好都合にも、ゴーグル組立体の前方に向いた部分全体が事実上外側レンズとなり、眼に入る付加的な構成部材が最小化される。
【００２８】
内側レンズは、周部に沿ってフレーム（好ましくはエラストマー製）を備えている。このフレームは、内側と外側のレンズを取外し可能に相互固定するための結合部を担持するのが好ましい。これらの結合部はリップの形式が好ましいが、ピン（既述のような）、スナップないしホック、留め具、柱状体、磁石、その他の適当な結合部でもよい。内側レンズおよび外側レンズは、このように相互保持されるので、保持ストラップをフレームか内側レンズに直接取付けするための直接固定部（例えば通し穴）を設ける必要はない。
【００２９】
使用時、ストラップが着用者の頭部またはヘルメット周囲で引張られると、外側レンズは、フレームまたは内側レンズと共に張力を受ける。フレームは、好ましくは、外側レンズがフレームと共に引張られて張力を受けると、外側レンズとの間にシールを形成するように構成され、チャンバ周縁部をなすフレームを介して２つのレンズ間に密閉チャンバが形成される。好都合なことに、シールは内側レンズのフレームを介して形成されるので、内側レンズと外側レンズを隔てるためのスペーサ、または内側レンズに対して外側レンズをシールするシール用スペーサを外側レンズに付加する必要はない。それにより、視野の広さが確保できる。
【００３０】
フレームは、更に、内側（着用者に最も近い側）に、着用者の顔面に当てがうための顔面との相互作用部分を担持している。顔面と相互作用する多くの部分は周知であり、普通は、顔面に快適に適合するように、様々な剛度と厚さの成形フォウムを含んでいる。この顔面との相互作用部分はフレームと一体成形できるが、後でフレームに付加または接着することもできる。
本発明の特徴および利点は、以下の図面を参照することにより理解されよう。
【図面の簡単な説明】
【００３１】
【図１】本発明の一実施例による１対のゴーグルの斜視図。（実施例１）
【図２ａ】図１のゴーグルの部分図。
【図２ｂ】図２の円部分の拡大図。
【図３】図１のゴーグルの分解斜視図。
【図４】本発明の一実施例に用いられるピンの斜視図。
【図５】図１のゴーグルの一部の側面図。
【図６ａ】ゴーグル組立体の構成部材の略示部分断面図。
【図６ｂ】ゴーグル組立体の構成部材の略示部分断面図。
【図６ｃ】ゴーグル組立体の構成部材の略示部分断面図。
【図７ａ】ゴーグル組立体の構成部材の略示部分断面図。
【図７ｂ】ゴーグル組立体の構成部材の略示部分断面図。
【図８】ゴーグル組立体の一部の略示断面図。
【図９】ゴーグル組立体の一部の略示断面図。
【図１０】本発明の一実施例による１対のゴーグルの斜視図。（実施例２）
【図１１ａ】図１０のゴーグルの部分斜視図。
【図１１ｂ】図１１の円部分の拡大斜視図。
【図１２】図１０のゴーグルの分解斜視図。
【図１３】本発明の一実施例による１対のゴーグルの斜視図。（実施例３）
【図１４】図１３のゴーグルの第２形状での斜視図。
【発明を実施するための形態】
【００３２】
以下で、図面を参照して本発明の複数実施例を説明するが、これらの実施例は単なる例に過ぎない。
【実施例１】
【００３３】
図１に示した１対のゴーグルは、外側レンズ３と、フレーム５と、外側レンズをフレーム５に取外し可能に固定するピン７の形式の取付け部材とを備えている。使用時、フレーム５は、着用者の顔面の眼の周囲に接触し、その位置に、頭部またはヘルメット後部にめぐらされる例えば弾性的なストラップ（図示せず）により保持される。
【００３４】
図２ａには、図１のゴーグルの斜視断面図が示され、図２ｂには、図２ｂの円部分の拡大図が示されている。図示のように、ゴーグルは、フレーム５により保持された内側レンズ１１を備えている。外側レンズ３の縁部は、フレーム５と重なり、かつシール１３を備え、該シールが、外側レンズ３の周部に沿って延び、フレーム５に当接されている。シールは、外側レンズ３の周部に沿って事実上気密のバリヤを形成し、その結果、内側レンズ１１と外側レンズ３との間には密閉された空気間隙１５が形成される。この空気間隙１５は、周囲環境から内側レンズ１１を絶縁し、内側レンズ１１の曇りを低減する。  
シール１３は、外側レンズ３に接着されるが、フレーム５には接着しないでおくか、または一時的に接着しておき、外側レンズ３をフレームから取外し可能にしておく。  
【００３５】
より好適ではない一実施例（図示せず）では、シール１３に替えてスペーサが配置される。このスペーサは、フレーム５から外側レンズ３が間隔をおくように働くが、密閉空気スペースを形成しない。この実施例の場合、スペーサは、外側レンズ３の周部長さに沿って連続的には延在しない。
図３には、図１のゴーグルの分解斜視図が示されている。
内側レンズ１１は、フレーム５内に保持される。外側レンズ３は、ピン７により取外し可能に固定される。４個のピン７（３個のみ示す）は、フレーム５の外側の対応ソケットにはめ込まれる。外側レンズ３には、ピン７に対応する４個の穴１９（３個のみ示す）が設けられ、これにより外側レンズは、ピン７にはめ込まれ、フレーム５に固定される。
【００３６】
外側レンズ３は、予張力を付与されて凹状（ゴーグル前方外側から見て）にされ、この結果、凸状に引張られて（図３に見られるように）、ピン７にはめ込まれると、ピン７に張力が加わる。その結果、シール１３がフレーム５に良好に接触するのが好都合と思われる。
図４には、ピンが拡大詳細図で示されている。各ピン７は、遠位の拡径部２１と近位の拡径部２３とを備えている。遠位拡径部２１は、外側レンズ３の穴に対するはめ込み固定部を形成し、近位拡径部２３は、フレーム５のソケットに対するはめ込み固定部を形成している。このようにして、外側レンズはフレーム５に取外し可能に固定される。  
外側レンズ３は、ピン７によってフレーム５に固定されると、図５に見られるように、フレーム５に対し密着保持される。
【００３７】
図６−図９には、種々の可能なシール１３の構成が示されている。
図６ａには、外側レンズ３の周部の部分断面図が示されている。外側レンズ３は、内面縁部にシール１３を備えている。この外側レンズ３は、図６ｂおよび図６ｃに示したフレーム組立体と組み合わされる。図６ｂには、内側レンズ１１が、フレーム５のスロット２７にはめ込まれるところが示されている。フレーム５は、更にシール１３に形状および位置が対応する溝２５を備えている。図６ｃに見られるように、外側レンズ３は、フレーム５に当接され、シール１３は溝２５にはめ込まれて、気密シールを形成する。図６ｃの溝２５には幾らかの隙間が示されているとしても、これは説明目的であり、実際の使用時には隙間はほとんど、または全く望ましいものではない。
【００３８】
図７ａおよび図７ｂの実施例は、シール１３が外側レンズ１３の内表面と外表面の両方にまたがっている点を除いて、図６ａおよび図６ｂの実施例と変わらない。これにより、外側レンズ１３は両面使用可能となり、裏面使用時にも密閉空気隙間が得られる。
図８に示した一好適実施例の場合、外側レンズ３は、外側レンズ３に取付けられたシール１３またはビードに対応する凹部２９にはめ込まれることでフレーム５に取外し可能に固定される。この実施例では、ピン７は備えても備えなくともよい。なぜなら、はめ込み凹部２９が取付け手段となるからである。
図９の実施例が備えている外側レンズ３は周部シール１３を有しており、周部シールは、外側レンズ縁部から間隔をおいて、フレーム５の角隅部に係止するように配置されている。この実施例で好都合な点は、フレーム５がシール１３に対応する溝を必要としないので、外側レンズ３は、現行ゴーグル・フレームにレトロフィットできることである。
【実施例２】
【００３９】
図１０に示した１対のゴーグルは、外側レンズ３が内側レンズ１１に配置された取付け部材（ピン７）により取外し可能に固定され、シール１３が内側レンズ１３の外表面に解離可能に当接されること以外は、図１に示したゴーグルと同じである。このことは、図１１ａの円部分の拡大図である図１１ｂから最も明瞭に見て取れる。更に、外側レンズ３と内側レンズ１１との間には、密閉空気隙間が形成されている。シール１３は、外側レンズ３に接着されているが、内側レンズ１１には非接着または一時接着にすることで、内側レンズから解離可能であり、したがって、外側レンズ３を取外すことができる。
【００４０】
請求項１３の分解図は、この実施例の構成部材を示している。内側レンズ１１はフレーム５内に保持される。外側レンズ３は、ピン７により取外し可能に保持される。４個のピン７は内側レンズ１１の穴３１内に各々はめ込まれる。外側レンズ３はピン７に対応する４個の穴１９を備え、これにより、外側レンズは、ピン７にはめ込まれ、内側レンズ１１に固定される。図３の実施例と同じように、外側レンズ３は予張力を付与されて凹状にされる。
ピン７は、図４に示したのと等しいピン７が使用される。
図３および図１３に見られるように、図示の実施例は、外側レンズ、内側レンズ、フレームの各々のカットアウト部分が相互に整合されている。カットアウト部分１７は、着用者の鼻に対応し、金型により切欠きをアーチ状に直接成形する処置、またはシート材料から押抜きまたは切断する処置を含む種々の処置によって形成できる。
図１と図１０を参照すると、外側レンズ３は、更に、一体成形されたリップ９を備えることで、取外しが容易になる。
【実施例３】
【００４１】
図１３は、外側レンズ３’、フレーム５’、内側レンズ１１’を備えたゴーグル組立体を示している。内側レンズはフレーム５’内に密封保持されることで、内側と外側のレンズ間に密閉チャンバが形成される。フレーム５’は、別個に形成して、内側レンズ１１’に取付けるか、または既述のように、重ね成形もしくは２重射出成形によって内側レンズと一体成形することができる。
外側レンズ３’は、着用者の頭部またはヘルメットの後部にめぐらされる弾性ストラップ２０を連結するための取付け部２２を備えている。ストラップ２０は、異なるヘルメット／頭部寸法に適合させるために、ストラップ長さ変更用の調節バックル（図示せず）を備えるのが好ましい。この種のバックルは、一般に知られている。
【００４２】
図示の実施例では、取付け部２２は、ストラップ２０を装着する穴の形式を有している。既述のように、他の取付け部も考えられ、使用可能である。
図示の実施例では、取付け部２０の穴は、２つのレンズ間のチャンバへの入口を形成している。このチャンバをシールするために、穴を閉じるプラグを配置するのが好ましい。あるいはまた、外側レンズ３’の側縁部を延長して、穴がフレーム５’の周部の外側に位置するようにしてもよい。外側レンズ３’のシールはフレーム縁部に対して形成されるので、この縁部の外側に穴が位置することによりプラグの必要はなくなる。
【００４３】
フレーム５’は、外側レンズ３’の縁部を差し込む固定リップ２４を担持し、これにより外側レンズ３’は少なくともルーズに保持される。図１４には、フレーム５’のリップ２４により保持された外側レンズ５’を有するゴーグル組立体が示されている。
既述の実施例に加えて、別の変更態様を、本発明の精神および範囲を逸脱することなく、既述の構成および技術に加えることができる。したがって、具体的な実施例が説明されたとしても、それらは単なる実例に過ぎず、本発明の範囲を制限するものではない。
【図１】
2012527274.tif 000003
【図２ａ】
2012527274.tif 000004
【図２ｂ】
2012527274.tif 000005
【図３】
2012527274.tif 000006
【図４】
2012527274.tif 000007
【図５】
2012527274.tif 000008
【図６ａ】
2012527274.tif 000009
【図６ｂ】
2012527274.tif 000010
【図６ｃ】
2012527274.tif 000011
【図７ａ】
2012527274.tif 000012
【図７ｂ】
2012527274.tif 000013
【図８】
2012527274.tif 000014
【図９】
2012527274.tif 000015
【図１０】
2012527274.tif 000016
【図１１ａ】
2012527274.tif 000017
【図１１ｂ】
2012527274.tif 000018
【図１２】
2012527274.tif 000019
【図１３】
2012527274.tif 000020
【図１４】
2012527274.tif 000021
【国際調査報告】
2012527274.tif 000022
2012527274.tif 000023
2012527274.tif 000024
2012527274.tif 000025
2012527274.tif 000026